(57)【要約】【課題】生体光計測装置の近くで光刺激装置を使用した場合であっても、生体光計測装置の出力にノイズが生じるのを低減することを目的とする。【解決手段】本発明では、光刺激装置の発する刺激光から、生体光計測装置が使用する計測光と同じ周波数成分の光および／または同じ波長の光を実質的に除去する手段を設ける。光刺激装置の発光部１０３が刺激光として発光するパルス光の周期に対する発光時間の割合（デューティ）をデューティ設定スイッチ１０７および制御部１１０により調整し、刺激光から生体光計測装置２００が計測光に重畳している変調成分と同じ周波数成分を低減する。または、発光部１０３が刺激光として発する光が、生体光計測装置２００の計測光の波長成分を含まない光を発する構成とする。【選択図】図１
2004154402.tif 000002
【特許請求の範囲】
【請求項１】
被検体を光刺激するための刺激光を発する光刺激装置において、
前記刺激光から、生体光計測装置が使用する計測光と同じ周波数成分の光および／または同じ波長成分の光を低減する手段を有することを特徴とする光刺激装置。
【請求項２】
被検体を光刺激するための刺激光を発する発光部と、前記発光部の動作を制御し、前記刺激光として周期的なパルス光を発光させる制御部とを有し、
前記制御部は、前記刺激光から高周波成分を低減するために、前記パルス光の周期に対する発光時間の割合の設定を受け付けるデューティ設定部を含み、該デューティ設定部が受け付けた割合を満たす前記パルス光を前記発光部に発光させることを特徴とする光刺激装置。
【請求項３】
請求項２に記載の光刺激装置において、前記制御部は、前記パルス光の周期の設定を受け付ける周期設定部と、前記パルス光の１パルス当たりの光量の設定を受け付ける光量設定部と、前記デューティ設定部、前記周期設定部および前記光量設定部がそれぞれ受け付けたデューティ、周期、および光量を満たす光強度を計算により求める演算部とをさらに含み、前記演算部が求めた光強度で前記発光部を発光させることを特徴とする光刺激装置。
【請求項４】
請求項２または３に記載の光刺激装置において、生体光計測装置に接続され、指示信号を受け取る接続部をさらに有し、前記発光部は、前記接続部に接続された前記生体光計測装置が照射光として用いる波長成分を含まない光を前記刺激光として発光することを特徴とする光刺激装置。
【請求項５】
被検体に計測光を照射し、前記被検体からの通過光を検出することにより生体の内部情報を計測する生体光計測装置と、該生体光計測装置に接続され、前記被検体を刺激するための刺激光を出射する光刺激装置とを有する生体光計測システムであって、
前記光刺激装置は、発光部と、前記生体光計測装置からの指示信号に基づいて前記発光部の動作を制御する制御部とを含み、
前記発光部は、前記生体光計測装置の前記計測光の波長成分を含まない光を前記刺激光として発光することを特徴とする生体光計測システム。
【請求項６】
被検体に変調信号を重畳した計測光を照射し、前記被検体からの通過光を検出することにより生体の内部情報を計測する生体光計測装置と、該生体光計測装置に接続され、前記被検体を刺激するための刺激光を出射する光刺激装置とを有する生体光計測システムにおいて、
前記光刺激装置は、発光部と、前記発光部の動作を制御し、前記刺激光として周期的なパルス光を発光させる制御部とを有し、
前記制御部は、前記刺激光から前記計測光の変調信号と同じ周波数成分を低減するために、前記パルス光の周期に対する発光時間の割合の設定を受け付けるデューティ設定部を含み、該デューティ設定部が受け付けた割合を満たす前記パルス光を前記発光部に発光させることを特徴とする生体光計測システム。
【発明の詳細な説明】
【０００１】
【発明の属する技術分野】
本発明は、脳波計や生体光計測装置等を用いて被検者の刺激応答を計測する際に、被検者に光刺激を与えるために用いられる光刺激装置、および、光刺激装置を備えた生体光計測装置に関する。
【０００２】
【従来の技術】
生体を通過した光を計測することにより、血中ヘモグロビン濃度等の生体情報を計測する生体光計測装置が知られている。生体光計測装置は、特定の波長の光を出射する光源と、光源からの光を生体表面に照射するための照射用光ファイバと、生体を通過してきた光を取り込む検出用光ファイバと、検出用光ファイバを伝搬してきた光を検出する光検出器と、検出結果を解析する解析装置等を含んで構成されている。このような生体光計測装置において、複数の計測点を同時に計測する際には、計測点ごとに異なる周波数変調を加えた計測光を照射し、変調周波数によって計測点ごとの通過光を判別する構成となっている。これらは例えば、特許文献１、２、３等に記載されている。生体光計測装置は、光照射用光ファイバの先端と光検出用光ファイバの先端とを、生体の表面に配置して光を照射するだけで、簡便に、生体に害を与えることなく生体情報を測定できるため、脳科学の分野等で臨床への応用が期待されている。
【０００３】
一方、従来より脳波計を用いて生体の脳波を測定する際に、生体に光刺激を与えながら測定を行うことにより、光刺激に対する生体の応答を測定する方法が知られている。この場合、光刺激としては、ストロボが発する光や、脳波計用の光刺激装置が一定の周期で連続的に発するパルス光が用いられている。
【０００４】
また、生体光計測装置で測定を行う場合にも、生体に光刺激を与えながら測定を行う方法が知られており、この測定には、例えば脳波計用の光刺激装置が使用されている。
【特許文献１】特開平０９−１９４０８号公報
【特許文献２】特開昭６３−２７５３２３号公報
【特許文献３】特開平０９−１４９９０３号公報
【０００５】
【発明が解決しようとする課題】
しかしながら、生体光計測装置で計測を行っている際に、上記光刺激装置を使用すると、測定結果にノイズが生じることがわかった。発明者らの実験によると、このノイズは、生体光計測装置と光刺激装置とを直接接続していない場合であっても、生体光計測装置の近くで光刺激装置を使用すると生じる。このことから、ノイズの原因は、光刺激装置の発する光が、生体光計測装置の検出用光ファイバの先端から入射することが原因であると思われる。このノイズを防ぐためには、生体光計測装置の検出用光ファイバの先端部分を測定部位とともに黒い布で覆うなどして、光刺激装置からの光を遮断することが考えられるが、黒い布等で覆う作業は煩雑である。また、生体の頭部のように計測部位によっては、黒い布で覆うことが困難なこともある。
【０００６】
本発明の目的は、生体光計測装置の近くで光刺激装置を使用した場合であっても、生体光計測装置の出力にノイズが生じるのを低減することにある。
【０００７】
【課題を解決するための手段】
上記目的を達成するために、本発明では、光刺激装置の発する刺激光から、生体光計測装置が使用する計測光と同じ周波数成分の光および／または同じ波長の光を実質的に除去する手段を設けるものである。具体的には、（１）刺激光として用いるパルス光の周期に対する発光時間の割合（デューティ）を調整する手段を設けることにより、生体光計測装置が計測光に重畳している変調成分と同じ周波数成分を刺激光から低減する。または、（２）刺激光の発光部として、計測光の波長成分が除去された光を発するものを用いる。もしくは（１）、（２）の両方を行う。
【０００８】
すなわち、本発明の光刺激装置は、例えば、被検体に光刺激を与えるための刺激光を発する発光部と、発光部の動作を制御し、刺激光として周期的なパルス光を発光させる制御部とを有する光刺激装置において、制御部は、刺激光から高周波成分を低減するために、パルス光の周期に対する発光時間の割合の設定を受け付けるデューティ設定部を含み、デューティ設定部が受け付けた割合を満たす前記パルス光を前記発光部に発光させる構成にする。これにより、刺激光のデューティを任意の大きさに設定することができるため、刺激光のパルス幅を広げ、生体光計測装置で光刺激装置からの光が検出された場合であっても、検出信号に高周波成分が含まれないようにすることができる。よって、刺激光の高周波成分に起因する生体光計測装置のノイズを低減することができる。
【０００９】
この場合、制御部は、パルス光の周期の設定を受け付ける周期設定部と、パルス光の１パルス当たりの光量の設定を受け付ける光量設定部と、デューティ設定部、周期設定部および光量設定部がそれぞれ受け付けたデューティ、周期、および光量を満たす光強度を計算により求める演算部とをさらに含む構成とすることができ、制御部は、演算部が求めた光強度で発光部を発光させる構成にすることができる。
【００１０】
また、別の態様としては、光刺激装置が、発光部と、発光部の動作を制御する制御部とを含む構成とし、発光部は、生体光計測装置の計測光の波長成分を含まない光を刺激光として発光する構成とすることができる。これにより、光刺激装置の刺激光と生体光計測装置の照射光との波長成分が重なっていることに起因する、生体光計測装置のノイズを低減することができる。
【００１１】
【発明の実施の形態】
本発明の一実施の形態の光刺激装置およびこれが接続された生体光計測装置について図面を用いて説明する。
【００１２】
まず、本実施の形態の光刺激装置の構成について、図１を用いて説明する。図１に示した本実施の形態の光刺激装置１００は、光刺激を与えるための刺激光を発する発光部１０３と、発光部１０３の動作を制御する制御部１１０とを含む。また、制御部１１０には、制御部１１０に対してユーザが発光光量、周波数、デューティ（Ｄｕｔｙ）をそれぞれ設定するための光量設定スイッチ１０６、周波数設定スイッチ１０５、デューティ設定スイッチ１０７、ならびに、表示装置１０８が接続されている。制御部１１０は、生体光計測装置２００に接続されて入力を受け付けるインタフェース１０１と、発光部１０３の駆動等を行う光源ドライバ１０２と、これらの電源１０４とを含む。
【００１３】
発光部１０３は、発する光の波長帯域が、可視域を含み、かつ、生体光計測装置２００の使用する波長を含まないように構成されている。本実施の形態では、生体光計測装置２００が使用する波長が、近赤外光の７８０ｎｍおよび８３０ｎｍであるため、これらの２波長を含まない白色発光ダイオードアレイを発光部１０３として用いる。ここでは、図２に示したように、発光スペクトルが４２０ｎｍ〜７５０ｎｍの範囲の白色発光ダイオードを用いた。この白色発光ダイオードは、波長７５０ｎｍ以上の光を発しないため、生体光計測装置２００の使用波長を含まない光を刺激光として発することができる。アレイを構成する白色発光ダイオードの数は、光量設定スイッチ１０６に設定される光量を満たす光を発することができるように、予め定められた個数に設計されている。
【００１４】
なお、発光部１０３の構造としては、白色発光ダイオードアレイを用いたものに限らず、キセノンランプ等の光源と赤外光カットフィルタとを組み合わせた構造にすることもできる。この場合、光源のランプから発光された光が、赤外光カットフィルタを通過するようにフィルタを配置した構成とする。これにより、生体光計測装置で使用する波長を除去した光を、刺激光として生体に照射することができる。
【００１５】
制御部１１０の光源ドライバ１０２は、発光部１０３を駆動し、図３に示したようにパルス光を周期的に発光させるため、ＣＰＵ１０２ａと、スイッチング回路１０２ｂとを含む。ＣＰＵ１０２ａは、光量設定スイッチ１０６、周波数設定スイッチ１０５およびデューティ設定スイッチ１０７からそれぞれ設定された値を受け取って、これに基づいて発光時の光強度を予め定められた演算（光強度＝光量／（周波数×デューティ））により求め、さらに求めた光強度により何個のダイオードをオンオフすればよいかを得て、これに沿ってスイッチング回路１０２ｂの動作を制御する。スイッチング回路１０２ｂは、ＣＰＵ１０２ａの指示する電流量を、指示されたタイミングでオンオフして発光部１０３に供給する。これにより、光量設定スイッチ１０６、周波数設定スイッチ１０５およびデューティ設定スイッチ１０７にユーザが設定した光量、周波数、デューディのパルス光が、発光部１０３から発せられる。
【００１６】
光量設定スイッチ１０６が設定を受け付ける光量とは、発光部１０３が１パルスで発する光量（すなわち発光強度を発光時間で積分した値）である。本実施の形態では、光量設定スイッチは、０．０１Ｊ〜１．０Ｊの範囲で１パルスあたりの光量を設定可能な構成とした。この範囲は、従来の光刺激装置において１パルスあたりに発せられる光量の範囲を含んでおり、従来と同レベルまたは任意のレベルの光量を設定可能である。また、周波数設定スイッチ１０５が設定を受け付ける周波数とは、発光周期（＝１パルスの発光時間と非発光時間との和）の逆数である。デューティ設定スイッチ１０７が設定を受け付けるデューティとは、発光周期あたりに占める発光時間の割合（＝（発光時間）／（発光時間＋非発光時間）×１００）である。
【００１７】
インタフェース１０１は、生体光計測装置２００の後述する制御部３１に接続され、この制御部３１から刺激光の発光開始の指示および発光終了の指示を受け付ける。インタフェース１０１は、これらの指示を光源ドライバ１０２に受け渡す。光源ドライバ１０２は、発光開始の指示を受け取った場合、上述した条件で刺激光としてパルス光を連続して発光させ、発光終了の指示を受け取った場合には、刺激光の発光を終了させる。
【００１８】
つぎに、光刺激装置１００に接続されている生体光計測装置２００の構造の概略を図４を用いて説明する。生体光計測装置２００は、生体である被検体９に近赤外光を照射する光源部１０と、被検体９を通過した光を計測し、電気信号に変換する光計測部２０と、光計測部２０からの信号をもとに生体情報、例えば血中ヘモグロビン濃度変化等を計算し、トポグラフィ画像の作成を行う信号処理部３０と、これらが接続され、装置全体の制御を行う制御部３１とを有している。さらに、生体光計測装置２００は、トポグラフィ画像の表示を行うための表示部３４と、信号処理部３０の処理に必要な指示の入力や信号処理結果の外部への出力のための入出力部３３と、信号処理データ等を格納するための記憶部３２等とを有し、これらはいずれも制御部３１に接続されている。光刺激装置１００は、この制御部３０に接続される。
【００１９】
光源部１０は、近赤外の複数の波長、ここでは７８０ｎｍと８３０ｎｍの光をそれぞれ放射する半導体レーザ１１と、これら２波長の光を複数の異なる周波数で変調するための変調器を備えた複数の光モジュール１２と、変調された光をそれぞれ被検体まで伝搬して出射端面から出射する複数の照射用光ファイバ１３とを含んでいる。なお、波長はこの２波長とは限らない。一方、光計測部２０は、被検体９の通過光を伝搬するための複数の検出用光ファイバ２１と、検出用光ファイバ２１が伝搬してきた光を検出するフォトダイオード２２と、フォトダイオード２２の出力信号から所定の周波数の信号を選択的に検出するためのロックインアンプモジュール２３と、ロックインアンプモジュール２３の出力をＡ／Ｄ変換するＡ／Ｄ変換器２４とを含んでいる。
【００２０】
照射用光ファイバ１３の出射端および検出用光ファイバ２１の入射端は、図５に示したように例えば３×３等の所定の大きさのマトリックス状に交互に配列された形状で、装着具４０によって支持される。光ファイバ１３，２１の先端および装着具４０とを合わせて計測用プローブという。装着具４０を被検体９の計測部位に装着することにより、照射用光ファイバ１３の出射端および検出用光ファイバ２１の入射端は、被検体９の上皮に接触する。これにより、照射用光ファイバ１３の先端から変調された近赤外光を照射し、被検体９の通過光を、隣接する検出用光ファイバ２１の先端から取り込み、フォトダイオード２２により検出することができる。
【００２１】
例えば３×３のマトリクスのプローブの場合、中央の検出用光ファイバ２１には、隣接する４つの照射用光ファイバ２１から照射されて被検体９を通過した光が混合されたものが検出される。隣接する４つの照射用光ファイバ２１から照射される照明光には、それぞれ周波数の異なる変調信号が重畳されているため、ロックインアンプモジュール２３により、混合光に含まれる４種類の変調信号を選択して検出することにより、検出用光ファイバ２１の先端と、隣接する照明用光ファイバ２１の先端との間に位置する点（計測点）について、被検体９の情報を得ることができる。したがって、例えば３×３のマトリクスのプローブの場合、計測点は全部で１２となる。
【００２２】
また、制御部３１は、光刺激の開始を要求する信号および光刺激の終了を示す信号を光刺激装置１００のインタフェース１０１に受け渡す。これを受けて、光刺激装置１００はすでに説明したように光パルスを刺激光として所定の周波数で連続的に出射する。これにより、被検体９に光刺激を与えながら、生体光計測装置２００で計測を行うことができる。
【００２３】
つぎに、光刺激装置１００によって刺激光を被検体９に照射しながら、生体光計測装置２００で生体情報を計測する動作について説明する。まず、図５のように、光刺激装置１００の発光部１０３を被検体９に向けて配置し、被検体９の計測部位に生体光計測装置２００の光照射用ファイバ１３および光検出用ファイバ２１を装着具４０で取り付ける。図５に示した例では、計測部位を人体の側頭部とし、光刺激装置１００の発光部１０３を頭部の前方に配置して、眼部に向かって刺激光を発光させている。また、光量設定スイッチ１０６、周波数設定スイッチ１０５には、ユーザが任意の光量および周波数値を設定する。これにより、ユーザが所望する光量および周波数の刺激光を被検体９に照射しながら、生体光計測装置２００で計測を行うことができる。
【００２４】
この計測の際に図５に示したように光刺激装置１００と計測プローブとの位置関係によっては、光刺激装置１００から出射された刺激光が、生体光計測装置２００の検出用光ファイバ２１の先端に到達し、被検体９との隙間から検出用光ファイバ２１に入射する場合があるが、本実施の形態の光刺激装置１００では、光パルスが、生体光計測装置２００の照射光の波長を含まないので、ノイズレベルを大幅に低減することができる。
【００２５】
一方、近赤外光の波長を含まない刺激光を用いても、わずかながらノイズが残存する場合がある。発明者らの研究によると、このノイズは、生体光計測装置２００の検出用光ファイバ２１に入射した刺激光の可視光成分が生体光計測装置２００の光計測部２０で計測される際に、刺激光の光パルス信号自体に含まれる高周波成分が計測されてしまうことに起因している。すなわち、近赤外光を含まない刺激光であっても、そのパルス波形がデューティが小さい波形である場合にはｋＨｚオーダーの高周波成分を含む。この高周波成分は、生体光計測装置２００が照射光に重畳している１〜２０ｋＨｚ程度の変調信号と同じ周波数帯域であるために、生体光計測装置２００の光計測部２０によって計測されてノイズになると考えられる。本実施の形態の光刺激装置１００では、このノイズを除去するため、デューティ設定スイッチ１０７を設け、従来の光刺激装置では固定値であった刺激光のデューティを、任意の大きさに設定することができるようにしている。よって、周波数設定スイッチ１０５に設定した周波数を考慮しつつ、刺激光のパルス幅が、生体光計測装置２００の照射光に重畳している変調波形の周期よりも十分大きくなるようにデューティを設定することにより、刺激光の光パルスが高周波成分を含まないようにすることができ、高周波成分によるノイズを除去することできる。例えば、周波数設定スイッチ１０５に、従来の光刺激装置のパルス光の周波数と同様に、１０Ｈｚ程度の周波数を設定した場合、デューティ設定スイッチ１０７を５０程度以上に設定することにより、生体光計測装置２００が使用している変調周波数１〜２０ｋＨｚの高周波成分が生じるのを抑制できる。
【００２６】
ノイズの低減の具体例について図６（ａ），（ｂ），（ｃ）を用いて説明する。図６（ａ）〜（ｃ）は、光刺激を与えながら生体光計測を行なった場合の生体光計測装置２００の出力波形を示すグラフであり、（ａ）は従来の近赤外波長を含む刺激光を用いた場合、（ｂ）は近赤外波長を含まない刺激光を用い、デューティを従来の光刺激装置の刺激光と同様の値（ここでは約８）に設定した場合、（ｃ）は近赤外波長を含まない刺激光を用い且つデューティ５０に設定した場合を示す。なお、いずれの場合も、周波数設定スイッチ１０５へ設定する周波数を１０Ｈｚとしている。図６（ｂ）のグラフからわかるように、刺激光として近赤外波長を含まない可視光を用いた場合には、従来の近赤外波長を含む刺激光を用いた場合（ａ）に比べ、ノイズが大幅に低減されている。但し、この場合にもわずかながらノイズが残存している。このノイズは上述したように刺激光に含まれる高周波成分に起因するものである。これに対し、デューティを適切に設定した場合には、（ｃ）に示すように、ノイズをほぼ完全に除去することができる。
【００２７】
なお、高周波成分によるノイズ低減のためには、上述のように刺激光のパルス幅が、生体光計測装置２００の照射光に重畳している変調波形の周期よりも十分大きくする必要があり、デューティ設定スイッチ１０７に設定すべきデューティの値は、生体光計測装置２００において照射光の変調に使用される周波数と、光刺激装置１００の周波数設定スイッチ１０５に設定される周波数とに依存する。そこで、予めわかっている生体光計測装置２００の変調周波数と、周波数設定スイッチ１０５に設定可能な範囲の周波数との組み合わせに基づき、ノイズ低減のために設定することが望ましいデューティの範囲を予め計算または実験により求めておき、これを推奨デューティ範囲として、表示装置１０８に表示してユーザに知らせるように構成することができる。もしくは、デューティ設定スイッチ１０７の構成自体を、この望ましいデューティの値しか受け付けないような構成にすることもできる。
【００２８】
また、周波数設定スイッチ１０５に設定可能な周波数範囲が広い場合には、設定可能な周波数の値ごとに、設定すべきデューティの最低値を予め計算により求めておき、周波数の値とデューティの値とを対応させて光源ドライバ１０２内に配置した図示しないメモリに格納しておく構成にすることが可能である。そして、周波数設定スイッチ１０５に周波数が設定された場合には、ＣＰＵ１０２ａがこれを取り込んで、取り込んだ周波数に対応するデューティの値をメモリから読み出して、これ以上のデューティの値を設定するようにユーザに促す表示を、表示装置１０８に表示する構成にすることが可能である。
【００２９】
また、ＣＰＵ１０２ａが、インタフェース１０１を介して通信を行い、接続されている生体光計測装置２００から生体光計測装置２００の変調周波数を受け取って、上述のように設定すべきデューティの最低値を計算により求め、それをユーザに知らせるように構成することも可能である。
【００３０】
また、本実施の形態では、光量設定スイッチ１０６により、１パルス当たりの光量を設定できる構成であるため、デューティ設定スイッチ１０７によりパルス幅を広げた場合であっても、１パルス当たりの光量を一定にすることができる。一般に、光刺激によって被検者に生じる刺激応答は、刺激光の光量に依存すると言われているため、本実施の形態の光刺激装置１００のように光量設定スイッチ１０６により光量を所望の一定値に設定可能な構成とすることにより、デューティを変化させた場合であっても、一定の刺激を与えながら計測を行うことができる。
【００３１】
上述してきたように、本実施の形態の光刺激装置１００は、生体光計測装置２００の計測プローブに刺激光が到達した場合であっても、生体光計測装置２００にノイズを生じさせないように構成されている。よって、生体光計測装置２００の計測部位が、光刺激装置１００からの刺激光が到達するような位置である場合でも、精度よく計測を行うことができる。
【００３２】
なお、上述の光刺激装置１００は、（１）生体光計測装置２００が使用する近赤外波長を含まない可視光の刺激光を用いる構成と、（２）光パルスのデューティを広げるデューティ設定スイッチ１０７を備える構成とを両方備えているが、必ずしも両方を同時に備えなければならないわけではなく、上記（１）の構成または上記（２）の構成のいずれか一方を備える光刺激装置１００とすることも可能である。いずれか一方を備える構成であっても、ノイズの低減の効果を得ることができる。
【００３３】
また、別の態様としては、光刺激装置１００の構成を、生体光計測装置２００の使用する波長を含まない可視光を刺激光として発する構成とするとともに、生体光計測装置２００のフォトダイオード２２の前に可視光カットフィルタを挿入する構成にすることが可能である。この場合、可視光の刺激光が、可視光カットフィルタによってカットされるため、フォトダイオード２２によって検出されることがなくなり、刺激光によるノイズの発生を防ぐことができる。可視光カットフィルタは、例えば、検出用光ファイバ２１とフォトダイオード２２との間、または、検出用光ファイバ２１の途中に挿入することができる。また、可視光カットフィルタを検出用光ファイバ２１の入射端面を覆うように取り付けることも可能である。
【００３４】
上述してきた実施の形態では、光刺激装置１００と生体光計測装置２００とを接続して計測を行う場合について説明してきたが、光刺激装置１００と生体光計測装置２００とは必ずしも接続されていなくとも、生体光計測装置２００のノイズ低減の効果は得られる。たとえば、光刺激装置は脳波計等の別の計測機器に使用され、生体光計測装置とは接続されていない場合であっても、光刺激装置と生体光計測装置とが近くで使用される限り、従来はノイズが発生する恐れがあった。本実施の形態の光刺激装置１００を用いることによりこの場合でも生体光計測装置２００のノイズを低減することができる。
【００３５】
【発明の効果】
上述してきたように、本発明によれば、生体光計測装置の近くで光刺激装置を使用した場合であっても、生体光計測装置の出力にノイズが生じるのを低減することが可能である。
【図面の簡単な説明】
【図１】本発明の一実施の形態の光刺激装置の構成を示すブロック図である。
【図２】本発明の実施の形態の光刺激装置において、発光部に用いられる白色発光ダイオードの発光スペクトルを示すグラフである。
【図３】本発明の実施の形態の光刺激装置が出射する刺激光の波形を示すグラフである。
【図４】本発明の実施の形態の光刺激装置が接続された生体光計測装置の概略構成を示すブロック図である。
【図５】本発明の実施の形態の光刺激装置で光刺激を与えながら、生体光計測装置で計測を行う状態を示す説明図である。
【図６】（ａ）は、従来の光刺激装置を接続した生体光計測装置の出力波形であり、（ｂ）は、本発明の実施の形態の光刺激装置を用い、デューティを従来と同等にした場合の生体光計測装置の出力波形であり、（ｃ）は、本発明の実施の形態の光刺激装置を用い、デューティを広く設定して高周波成分を低減した場合の生体光計測装置の出力波形である。
【符号の説明】
９…被検体、１０…光源部、１１…半導体レーザ、１２…光モジュール、１３…照射用光ファイバ、２０…光計測部、２１…検出用光ファイバ、２２…フォトダイオード、２３…ロックインアンプモジュール、２４…Ａ／Ｄ変換器、３０…信号処理部、３１…制御部、３２…記憶部、３３…入出力部、３４…表示部、４０…装着部、１００…光刺激装置、１０１…インタフェース、１０２…光源ドライバ、１０３…発光部、１０４…電源、１０５…周波数設定スイッチ、１０６…光量設定スイッチ、１０７…デューティ設定スイッチ、１１０…制御部、２００…生体光計測装置。
【図１】
2004154402.tif 000003
【図２】
2004154402.tif 000004
【図３】
2004154402.tif 000005
【図４】
2004154402.tif 000006
【図５】
2004154402.tif 000007
【図６】
2004154402.tif 000008